(57)【特許請求の範囲】
【請求項１】
用紙本体１の片面又は両面に、該用紙本体１を一定の規則に従って折り曲げるための複数の折目部ｂ（ｂ１ 、ｂ２ 、ｂ３ 、・・・）を備え、該複数の折目部ｂ（ｂ１ 、ｂ２ 、ｂ３ 、・・・）の１乃至複数又は全てが、前記用紙本体１の１／２、１／４、１／８など偶数分の１折りするための折目相当部に形成されており、該用紙本体１の片面又は両面の前記折目相当部に沿って、１乃至複数種類の所定の隠しパターンαを細かく分割して形成した複数個の分割隠しパターンａ１ 、ａ２ 、ａ３ 、・・・が各々配置され、前記折目部に沿って一定の規則に従って折り曲げて最終的に折り畳まれた用紙本体１の折り畳み端面に、前記配置された各々分割隠しパターンａ１ 、ａ２ 、ａ３ 、・・・が、所定の前記隠しパターンαとして再現されるようにしたことを特徴とする印刷物。
【請求項２】
前記分割隠しパターンａ１ 、ａ２ 、ａ３ 、・・・の１乃至複数のサイズ、又は全てのサイズがマイクロ文字等の微小なサイズであることを特徴とする請求項１記載の印刷物。
【請求項３】
前記複数の折目部ｂ（ｂ１ 、ｂ２ 、ｂ３ 、・・・）の１乃至複数又は全てが、その折目部の折目相当部に沿って可視状態又は不可視状態にて確認可能な実線、又は点線、破線、短線などの仮想線、又はその折目線と用紙本体１の端縁部又は頂角部との交点相当部に設けた両端折目マーク等により表示されていることを特徴とする請求項１又は２記載の印刷物。
【発明の詳細な説明】
【技術分野】
【０００１】
本発明は有価証券類など帳票類の偽造防止のための真贋判定機能付き帳票類等の真贋を判定するための真贋判定機能を備えた印刷物に関する。
【背景技術】
【０００２】
真贋判定機能付き帳票類や有価証券類等の証券や入場券やサービス券やカードなど帳票類の偽造防止策として、例えば、隠し文字やマイクロ文字などが使用される。マイクロ文字などは、文字自体がコピー機などによって安易に複製されたり再現されないように、文字自体の大きさ（サイズ）が微小である。
【０００３】
そのため、有価証券類等が模造品や偽造品であるか否かの判定や判別の段階で、肉眼での隠し文字やマイクロ文字の識別が非常に行い難く、また判定や判別の際に、ルーペなどの拡大鏡やレンズを必要とすることが多い。また隠し文字やマイクロ文字が有価証券類のデザインに溶け込み過ぎていると、隠し文字やマイクロ文字が使用されていても、有価証券類の用紙の表面や裏面や紙層内に入っていることが判らないため、その場での真贋の判定や判別に苦労する場合が多い。
【０００４】
以下に、本発明に関連する公知の先行技術文献を記載する。
【特許文献１】特開２００４−９５６５号公報
【特許文献２】特開２００４−０２９２６０号公報
【特許文献３】特開２００４−０９０３８８号公報
【発明の開示】
【発明が解決しようとする課題】
【０００５】
本発明は、上記のような隠し文字やマイクロ文字等の安易に複製されたり再現されたりしない程度の大きさの微小なサイズのパターンを、有価証券類等の偽造防止策として使用する際、有価証券類等が模造品や偽造品であるか否かの判定や判別の段階で、ルーペなどの拡大鏡やレンズを使用せずに、肉眼で隠し文字やマイクロ文字の識別を容易に行うことができ、また隠し文字やマイクロ文字が、有価証券類のデザインに溶け込み過ぎていても、隠し文字やマイクロ文字が、有価証券類の用紙の表面や裏面や紙層内に入っていることが容易に識別でき、真偽の判定や判別を容易に行うことができる隠しパターン付き印刷物を提供すること、及び上記のような微小なサイズのパターンや通常サイズ等のパターンを使用した真贋や複製や再現性等にこだわらない嗜好的且つ玩具的な隠しパターン付き印刷物を提供することにある。
【課題を解決するための手段】
【０００６】
本発明の請求項１に係る発明は、用紙本体１の片面又は両面に、該用紙本体１を一定の規則に従って折り曲げるための複数の折目部ｂ（ｂ１ 、ｂ２ 、ｂ３ 、・・・）を備え、該複数の折目部ｂ（ｂ１ 、ｂ２ 、ｂ３ 、・・・）の１乃至複数又は全てが、前記用紙本体１の１／２、１／４、１／８など偶数分の１折りするための折目相当部に形成されており、該用紙本体１の片面又は両面の前記折目相当部に沿って、１乃至複数種類の所定の隠しパターンαを細かく分割して形成した複数個の分割隠しパターンａ１ 、ａ２ 、ａ３ 、・・・が各々配置され、前記折目部に沿って一定の規則に従って折り曲げて最終的に折り畳まれた用紙本体１の折り畳み端面に、前記配置された各々分割隠しパターンａ１ 、ａ２ 、ａ３ 、・・・が、所定の前記隠しパターンαとして再現されるようにしたことを特徴とする印刷物である。
【０００７】
本発明の請求項２に係る発明は、上記請求項１に係る印刷物において、前記分割隠しパターンａ1 、ａ2 、ａ3 、・・・の１乃至複数のサイズ、又は全てのサイズが、マイクロ文字等の微小なサイズであることを特徴とする印刷物である。
【０００８】
本発明の請求項３に係る発明は、上記請求項１又は２に係る印刷物において、前記複数の折目部ｂ（ｂ1 、ｂ2 、ｂ3 、・・・）の１乃至複数又は全てが、その折目部の折目相当部に沿って可視状態又は不可視状態にて確認可能な実線又は点線、破線、短線などの仮想線、又はその折目線と用紙本体１の端縁部又は頂角部との交点相当部に設けた両端折目マーク等により表示されていることを特徴とする印刷物である。
【発明の効果】
【００１２】
本発明によれば、用紙本体の表面又は裏面に、隠しパターン（文字、記号等）を細かく分割して配置したマイクロ文字等の文字サイズに近い微小サイズの複数の分割隠しパターンを備え、その用紙本体を一定の折目に沿って所定の順序（規則）に従って折り曲げることにより、折り曲げた折目部分に形成されている複数の微小な分割隠しパターンを、最終的に折り畳まれた用紙本体の端面（側面部分）に集積させて、分割していた複数の微小な分割隠しパターンを、元の形状、サイズの隠しパターン（分割隠しパターンの母体となる隠しパターン）として集積し、隠しパターンを可視パターンとして再現、可視させることができる。そして、隠しパターンが集積再現されて可視されれば、その用紙本体により構成される帳票類等の印刷物は真正（本物）と判定され、再現されなければ贋造（偽造）と判定される。
【００１３】
このように本発明の印刷物は、肉眼でパターン判別し難い隠し文字やマイクロ文字等の微細なサイズ、あるいは微細なサイズより大きい肉眼でパターン判別し易いサイズ（通常サイズなど）のパターンを隠しパターンとして、それを複数の微小な分割隠しパターンに分割し、最終的に折り畳まれた用紙本体の端面（側面部分）に集積させて隠しパターンを可視パターンとして再現させ、可視させることができ、有価証券類等の印刷物が模造品や偽造品であるか否かの判定や判別に使用することができる。真偽の判定や判別を容易に行うことができる隠しパターン付き印刷物を提供することがてきる。
【００１４】
また本発明の印刷物は、肉眼でパターン判別し難い微細なサイズの隠しパターンより大きく、肉眼でパターン判別し易い（判別可能）サイズのパターンの隠しパターンを分割して得られる複数の分割隠しパターンの各々は、分割されているため肉眼ではパターン判別
できないが、各々分割隠しパターンを最終的に折り畳まれた用紙本体の端面（側面部分）に集積させて隠しパターンとして再現させた際には、その隠しパターンは肉眼でパターン判別が可能になるので、有価証券類等が模造品や偽造品であるか否かの判定や判別の段階で、ルーペなどの拡大鏡やレンズを使用せずに、肉眼で集積再現された隠し文字やマイクロ文字等の識別を容易に行うことができる。また隠し文字やマイクロ文字が、有価証券類のデザインに溶け込み過ぎていても、隠し文字やマイクロ文字が、有価証券類の用紙の表面や裏面や紙層内に入っていることが容易に識別できる効果がある。
【００１５】
また本発明の印刷物は、真贋判定や複製や再現性等にこだわらない嗜好的、玩具的、ゲーム的な印刷物として使用ことができ、上記のような微小なサイズのパターンや通常サイズ等のパターンの適宜な隠しパターンを分割して得られる分割隠しパターンを使用した印刷物をゲーム等に使用することができ、最終的に折り畳んだ後に再現される隠しパターンを、予めゲーム感覚で予想したりして使用することができる。
【発明を実施するための最良の形態】
【００１６】
本発明の印刷物を、その実施の形態、及びその印刷物の一例を示す平面図に基づいて、以下に詳細に説明する。
【００１７】
図１に示すように、印刷物（例えば帳票類、真贋判定機能付き帳票類、隠しパターン当てゲームシート等）を構成する用紙本体１の片面（例えば表面）に、該用紙本体１を一定の規則に従って折り曲げるための直線状の複数の折目部ｂ（ｂ1 、ｂ2 、ｂ3 、・・・）を備えている。なお、用紙本体１は、紙、不織布、アルミ箔、プラスチックフィルム、あるいは、それらの複合シートを採用することができる。
【００１８】
前記用紙本体１に形成される前記折目部ｂ（ｂ1 、ｂ2 、ｂ3 、・・・ｂn ）は、本発明においては、分割隠しパターンを配置表示するための隠しパターンレイヤーＬとなっていて、図１に示すように、前記折目部ｂの折目相当部上には、複数個の分割隠しパターンａ（ａ1 、ａ2 、ａ3 、・・・ａn ）が各々配置されて表示されている。
【００１９】
本発明の印刷物は、単一枚の上記用紙本体１により構成されていてもよいし、複数枚の上記用紙本体１により構成されていてもよいし、複数枚の上記用紙本体１を製本用糊や接着剤、再接着可能な粘着剤、あるいは綴じ金具等を用いて綴じ合わせることにより構成されていてもよい。なお、用紙本体１の片面又は両面の全面領域若しくは部分領域、又は分割隠しパターンａの配置された領域を除いた領域には、帳票類としての必要事項（所期事項、記事、絵柄、模様、彩色等）が印刷等により記載されている。
【００２０】
前記各々分割隠しパターンａ（ａ1 、ａ2 、ａ3 、・・・）は、所定の隠しパターンαを、細かく分割して形成したものであり、前記各々折目部ｂ上に沿って配置表示されている各々分割隠しパターンａは、用紙本体１を、各々折目部ｂに沿って折り曲げ、一定の規則に従って折り畳んだ際に、各々折目部ｂ（ｂ1 、ｂ2 、ｂ3 、・・・）のうちの何れかの複数の折目部ｂは、折り畳まれた前記用紙本体１の一端縁部に折り畳み用紙の一側端面部として面状に揃う。
【００２１】
そして、折り畳まれた該用紙本体１の一側端面部に揃った複数の各々折目部ｂ上に配置されている各々分割隠しパターンａ（ａ1 、ａ2 、ａ3 、・・・）も、その折り畳まれた用紙本体１の一側端面部に、分割（分散）配置状態から集合配置状態になって、その一側端面部には前記隠しパターンαが再現され表示されるものである。
【００２２】
このように、用紙本体１を、前記折目部ｂに沿って、所定の規則に従って折り曲げることによって、最終的に、折り畳まれた用紙本体１の折り畳み一側端面部には、前記配置さ
れた各々分割隠しパターンａ1 、ａ2 、ａ3 、・・・ａn が、所定の前記隠しパターンαとして再現されるものである。
【００２３】
ここで、本発明における一定の規則に従う用紙本体１の折り方とは、設定された上記の各々折目部ｂ（ｂ1 、ｂ2 、ｂ3 、・・・ｂn ）に沿って、上記用紙本体１を折り曲げて折り畳んだ際に、最終的に折り畳まれた用紙本体１の一側端縁部に、折目部が一側端面部として揃い、該折目部に沿って設けた各々分割隠しパターンａ1 、ａ2 、ａ3 、・・・が、その一側端面部に集合して、所定の隠しパターンαとして再現される状態となる折り方をいうものである。
【００２４】
本発明において、分割配置する分割隠しパターンａ（ａ1 、ａ2 、ａ3 、・・・）の母体として使用する隠しパターンα本体としては、１個乃至複数個を使用するようにしてもよいし、１種類乃至複数種類を使用するようにしてもよい。例えば、アルファベット文字、５０音文字（ひらがな、カタカナ）、漢字文字、数字、記号、あるいは絵柄、模様など何れを使用してもよく、また、これらのうちの１個あるいは複数個を使用するようにしてもよく、また、これらの文字、記号等を配列し、表意文字（あるいは略語など）としてもよい。
【００２５】
また、本発明においては、前記隠しパターンαを細かく分割して用紙本体１に分割して配置使用する分割隠しパターンａ（ａ1 、ａ2 、ａ3 、・・・）のうち、１乃至複数のサイズ、又は全てのサイズは、勿論、分割使用前の隠しパターンα本体のサイズよりは小サイズであって、そのサイズ（大きさ）は特に限定されるものではないが、一般的な傾向としては、小さい方が分割隠しパターンであることが気付かれ難く、但し、あまり小さ過ぎると折り畳んでも隠しパターンが旨く視認されにくいので好ましくない。一例としては、マイクロ文字等の微小なサイズであることが好ましく、例えば１ｍｍ2 未満、あるいは１ｍｍ2 〜３ｍｍ2 程度が好ましい。このように、用紙本体１に分割表示する分割隠しパターンａを微小サイズ（米粒大、あるいは米粒大より小さいサイズ）にて形成することにより、該用紙本体１面上における分割隠しパターンａの存在が目立たないものになり、分割隠しパターンａを肉眼にて確認しても明確には確認できないものになる。
【００２６】
前記複数の折目部ｂ（ｂ1 、ｂ2 、ｂ3 、・・・）の１乃至複数又は全ては、その折目部ｂの折目相当部に沿って、実線、又は鎖線、点線、破線、短線などの仮想線、又は用紙本体１の端縁部と折目部ｂの折目相当部との交点相当部、又は用紙本体１の頂角部と折目部ｂの折目相当部との交点相当部に設けた用紙両端の折目マーク１１等により表示されている。なお、用紙本体１における折目部ｂの存在は、可視状態にて又は不可視状態にて確認可能なように、可視色による印刷表示、刻設（又は罫押し）表示などにて設けられている。
【００２７】
用紙本体１における複数の折目部ｂの形成位置は、本発明においては特に限定されるものではないが、例えば、前記複数の折目部ｂ（ｂ1 、ｂ2 、ｂ3 、・・・）の１乃至複数又は全ての形成位置は、用紙本体１の１／２折り、該１／２折りと直交する方向の１／４折り、該１／４折りと平行する方向の１／８折り、１／１６折りなど、偶数分の１折りするための折目相当部などに形成される。
【００２８】
本発明の印刷物として使用する用紙本体１の具体的な一例を以下に説明すれば、例えば、図１の平面図に示すように、用紙本体１の片面（表面）に、その用紙を上下に２等分するように水平方向（Ｘ方向）に設定された１／２折り用の第１折目部ｂ1 と、その用紙を左右に２等分するように、前記折目部ｂ1 と直交する垂直方向（Ｙ方向）に設定された１／４折り用の第２折目部ｂ2 と、その用紙を左右に４等分するように、前記第２折目部ｂ2 と平行する方向（Ｙ方向）に設定された１／８折り用の第３の折目部ｂ3 、ｂ3 を備えている。
【００２９】
なお、本発明においては、図１に示す用紙本体１の折目部ｂの折目相当部に配置する各々分割隠しパターンａの配置は、用紙本体１の折目部ｂを介した折り曲げ順序という一定の規則に対応して、その配置位置が決定されるものである。
【００３０】
本発明の印刷物の折り畳み使用方法（真贋判定方法、隠しパターン再現方法）の一例として、図１に示す用紙本体１の折目部ｂの折り曲げ順序を、Ｘ方向の第１折目部ｂ1 、Ｙ方向の第２折目部ｂ2 、Ｙ方向の第３折目部ｂ3 の順とした場合について、以下に説明する。
【００３１】
図１に示すように、前記用紙本体１の表面（又は表裏両面）の最初に折り曲げられるＸ方向の第１折目部ｂ1 の折目相当部は隠しパターンレイヤー部Ｌになり、第１折目部ｂ1 、第２折目部ｂ2 、第３折目部ｂ3 の順に折り曲げて折り畳み用紙本体１を形成した場合、第１折目部ｂ1 の隠しパターンレイヤー部Ｌは、図１に示すように、隠しパターンレイヤー部Ｌ1 、Ｌ2 、Ｌ3 、Ｌ4 の順に折り重なり、所定の隠しパターンαを横（Ｘ方向）に上下に４分割して形成した複数個の全ての分割隠しパターンａの各々分割隠しパターンａ1 、ａ2 、ａ3 、ａ4 がそれぞれ隠しパターンレイヤー部Ｌ1 、Ｌ2 、Ｌ3 、Ｌ4 に各々配置される。
【００３２】
図２は、用紙本体１を第１折目部ｂ1 に沿って折り曲げた状態の１／２折りした用紙本体１の平面図であり、該用紙本体１を、第２折目部ｂ2 に沿って折り曲げることにより、図３に示すように、１／４折りした用紙本体１が形成される。
【００３３】
１／４折りした用紙本体１は、さらに第３折目部ｂ3 に沿って折り曲げることにより、図４に示すように、例えば表裏に最終形態が正しいかを示すマーク（目印）を持った、１／８折りに折り畳みした用紙本体１が形成される。
【００３４】
図５（ａ）の全体斜視図に示す１／８折りに折り畳んだ用紙本体１、及び図５（ｂ）の用紙本体１を隠しレイヤーＬ（Ｌ1 、Ｌ2 、Ｌ3 、Ｌ4 ）側から観察した側面図に示すように、折り畳まれた用紙本体１の隠しレイヤーＬ側に、第１分割隠しパターンａ1 が配置されている第１レイヤーＬ1 と、第２分割隠しパターンａ2 が配置されている第２レイヤーＬ2 と、第３分割隠しパターンａ3 が配置されている第３レイヤーＬ3 と、第４分割隠しパターンａ4 が配置されている第４レイヤーＬ4 とが、この順に重ね合わさって積層された状態の１／８折りに折り畳まれた用紙本体１が得られる。
【００３５】
そして、図５（ａ）〜（ｂ）に示すように、第１レイヤーＬ1 、第２レイヤーＬ2 、第３レイヤーＬ3 、第４レイヤーＬ4 が、この順に積層されることにより、１／８折りに折り畳んだ用紙本体１の隠しレイヤーＬの第１レイヤーＬ1 に配置されている第１分割隠しパターンａ1 と、第２レイヤーＬ2 に配置されている第２分割隠しパターンａ2 と、第３レイヤーＬ3 に配置されている第３分割隠しパターンａ3 と、第４レイヤーＬ4 に配置されている第４分割隠しパターンａ4 がこの順に組み合わせられて、分割隠しパターンの母体である分割前の隠しパターンα（所定の隠しパターンαを横（Ｘ方向）に上下に４分割して形成した第１、第２、第３、第４の各々分割隠しパターンａ1 、ａ2 、ａ3 、ａ4 の集合体）が、用紙本体１の一側端面部となる第１折目部ａ1 の隠しレイヤーＬ上に再現されるものである。
【００３６】
図６は、最終的に折り畳まれた用紙本体１の一側端面部となる各々折目部に相当する隠しパターンレイヤーＬ（各々第１レイヤーＬ1 、第２レイヤーＬ2 、第３レイヤーＬ3 、第４レイヤーＬ4 、・・・第ｎレイヤーＬn ）の積層により形成される隠しパターンαの
一例であって、例えばアルファベットの配列文字による、「ＡＢＣ」なる隠しパターンである。
【００３７】
分割隠しパターンの母体である隠しパターンα（「ＡＢＣ」）の分割数は、用紙本体１に設定される隠しパターンレイヤーＬの層数によって設定される。例えば、図６に示すように、隠しパターンレイヤーＬの層数が、第１レイヤーＬ1 、第２レイヤーＬ2 、第３レイヤーＬ3 、第４レイヤーＬ4 の４層である場合には、図示するように、隠しパターンαを横（Ｘ方向）に上下に略等分に４分割して、第１、第２、第３、第４の各々分割隠しパターンａ1 、ａ2 、ａ3 、ａ4 が、それぞれ第１レイヤーＬ1 、第２レイヤーＬ2 、第３レイヤーＬ3 、第４レイヤーＬ4 に形成される。
【００３８】
図７（ａ）は、最終的に折り畳まれた用紙本体１の隠しパターンレイヤーＬとなる一側端面部のうち、最上部に積層される第１レイヤーＬ1 であり、この第１レイヤーＬ1 には第１分割隠しパターンａ1 が配置され形成される。
【００３９】
図７（ｂ）は、最終的に折り畳まれた用紙本体１の隠しパターンレイヤーＬとなる一側端面部のうち、最上部の直下の最上部から１層目に積層される第２レイヤーＬ2 であり、第２レイヤーＬ2 には第２分割隠しパターンａ2 が配置され形成される。
【００４０】
図７（ｃ）は、最終的に折り畳まれた用紙本体１の隠しパターンレイヤーＬとなる一側端面部のうち、最上部から２層目に積層される第３レイヤーＬ3 であり、第３レイヤーＬ3 には第３分割隠しパターンａ3 が配置され形成される。
【００４１】
図７（ｄ）は、最終的に折り畳まれた用紙本体１の隠しパターンレイヤーＬとなる一側端面部のうち、最上部から３層目の最下部に積層される第４レイヤーＬ4 であり、第４レイヤーＬ4 には第４分割隠しパターンａ4 が配置され形成される。
【００４２】
なお、隠しパターンレイヤーＬに対応する分割隠しパターンαの分割処理や、用紙本体１面への配置処理、形成処理は、コンピュータ画像処理形成方式、光学写真製版方式、平版オフセット、凹版、グラビア等の印刷方式、インキジェット印字、静電印字などの印字方式により行うことができる。
【００４３】
このように本発明においては、帳票類に対して分割隠しパターンａ（ａ1 、ａ2 、ａ3 、・・・ａn ）が配置される隠しパターンレイヤーＬの層数は、用紙本体１の折り数（折目部の数）によって異なる。上記のように４分割の場合を挙げると図７（ａ）〜（ｄ）の様になる。
【００４４】
本発明の帳票類においては、用紙本体１の１枚毎の厚みが厚くなる程、あるいは一度に折る用紙本体１の枚数が多くなる程、折り畳まれた用紙本体１の折目部での厚みさも増大するものである。
【００４５】
そこで、単に隠しパターンαを天地方向で等分に４分割するのではなく、一例として、例えば、上下に積層される各レイヤーＬ1 、Ｌ2 、Ｌ3 、・・・Ｌn に配置される各々分割隠しパターンａ1 、ａ2 、ａ3 、・・・ａn 同士に、用紙の厚みや一度に折る枚数を考慮した積層における上下方向（Ｙ方向）の重ね部を形成したり、また左右方向（Ｘ方向）の積層誤差やアバレも配慮した構造とすることができる。また隠しパターンαにおいて、例えば「Ａ」、「Ｂ」などの囲みがある文字（閉曲線文字）は、多少、囲み内の面積（囲み内の地の部分の面積）を大きくすることが望ましい。
【００４６】
分割隠しパターンａ1 、ａ2 、ａ3 、・・・ａn に、折り畳まれた用紙本体１の隠しパ
ターンレイヤーＬとなる各折目部の厚さを考慮して形成する重ね部ｗ（ｗ1 〜ｗn ）について、図８に基づいて説明する。
【００４７】
図８は、用紙本体１の厚みなどを考慮して、所定の隠しパターンαを分割して分割隠しパターンａとする際において形成する重ね部ｗを説明する説明図である。分割隠しパターンの母体となる隠しパターンαとして、例えばアルファベットの「Ａ」を採り上げたものであり、図中、上下方向の範囲ａ1 は第１分割隠しパターンａ1 の領域、ａ2 は第２分割隠しパターンａ2 の領域、ａ3 は第３分割隠しパターンａ3 の領域、ａ4 は第４分割隠しパターンａ4 の領域である。
【００４８】
図８に示すように、分割隠しパターンの母体となる所定の隠しパターンαとして「Ａ」を採り上げて説明すれば、隠しパターンレイヤーＬの第１レイヤーＬ1 に形成配置する第１分割隠しパターンａ1 と第２レイヤーＬ2 に形成される第２分割隠しパターンａ2 は、前記隠しパターンαの「Ａ」と同じ形とサイズ、又は「Ａ」と相似形になるように、その第１、第２分割隠しパターンａ1 、ａ2 を配置した際に、その第１分割隠しパターンａ1 の下部と第２分割隠しパターンａ2 の上部とが、図８に示すように互いに重ね部ｗ1 にて重合わせられるようなサイズに設定するものである。
【００４９】
また、図８に示すように、隠しパターンレイヤーＬの第２レイヤーＬ2 に形成配置する第２分割隠しパターンａ2 と第３レイヤーＬ3 に形成される第３分割隠しパターンａ3 は、前記隠しパターン「Ａ」と同じ形とサイズ又は「Ａ」と相似形になるように、その第２、第３分割隠しパターンａ3 を配置した際に、その第２分割隠し文字ａ2 の下部と第３分割隠し文字ａ3 の上部とが、図８に示すように、互いに重ね部ｗ2 にて重合わせられるようなサイズに設定するものである。
【００５０】
また、図８に示すように、隠しパターンレイヤーＬの第３レイヤーＬ3 に形成配置する第３分割隠しパターンａ3 と第４レイヤーＬ4 に形成される第４分割隠しパターンａ4 は、前記隠しパターンαの「Ａ」と同じ形とサイズ又は「Ａ」と相似形になるように、その第３ａ3 、第４分割隠し文字ａ4 を配置した際に、その第３分割隠し文字ａ3 の下部と第４分割隠し文字ａ4 の上部とが、図８に示すように、互いに重ね部ｗ3 にて重合わせられるようなサイズに設定するものである。
【００５１】
上記のような重ね部ｗの形成は、「Ａ」以外の各種の隠し文字αについても適宜に設定することができる。また、重ね部ｗの重ね量［ｗ］としては、使用する隠し文字αの種類やサイズ、形状に対応して適宜に設定できるが、例えば、０．１ｍｍ〜０．１８ｍｍ程度が適当である。
【図面の簡単な説明】
【００５２】
【図１】本発明の帳票類を構成する用紙本体の平面図であり折り畳む前の用紙本体の平面図。
【図２】本発明の帳票類を構成する用紙本体を第１折目部にて１／２折りした状態の平面図。
【図３】本発明の帳票類を構成する用紙本体を第１折目部と第２折目部にて１／４折りした状態の平面図。
【図４】本発明の帳票類を構成する用紙本体を第１折目部と第２折目部と第３折目部にて１／８折りした状態の平面図。
【図５】（ａ）は本発明の帳票類を構成する用紙本体を１／８折りした状態の隠し文字レイヤー側から観察した一側端面部の斜視図、（ｂ）は本発明の帳票類を構成する用紙本体を１／８折りした状態の隠し文字レイヤー側から観察した一側端面部の正面図。
【図６】本発明の帳票類を構成する用紙本体を１／８折りした状態の隠し文字レイヤー側の一側端面部及びその一側端面部に再現される隠し文字の説明図。
【図７】（ａ）は本発明の帳票類を構成する用紙本体を１／８折りした状態の折り畳み用紙本体の一側端面部の隠し文字レイヤー側において、第１レイヤーＬ1 に配置される第１分割隠し文字ａ1 を表し、（ｂ）は第２レイヤーＬ2 に配置される第２分割隠し文字ａ2 を表し、（ｃ）は第３レイヤーＬ3 に配置される第３分割隠し文字ａ3 を表し、（ｄ）は第４レイヤーＬ4 に配置される第４分割隠し文字ａ4 を表す。
【図８】本発明の帳票類の折目部に配置形成する分割隠し文字に重ね部ｗを形成した分割隠し文字、及びその重ね部ｗをついて説明する隠し文字の平面図。
【符号の説明】
【００５３】
１…用紙本体
α…隠しパターン
ａ…分割隠しパターン
ａ1 、ａ2 、ａ3 、・・・ａn …第１分割隠しパターン・・・第ｎ分割隠しパターン
ｂ…折目部
ｂ1 、ｂ2 、ｂ3 、・・・ｂn …第１折目部・・・第ｎ折目部
【図１】
0005092755.tif 000002
【図２】
0005092755.tif 000003
【図３】
0005092755.tif 000004
【図４】
0005092755.tif 000005
【図５】
0005092755.tif 000006
【図６】
0005092755.tif 000007
【図７】
0005092755.tif 000008
【図８】
0005092755.tif 000009